(57)【要約】  本発明は即時通信方法及びシステムを開示され、通信技術領域に関わる。前記方法は下記の内容を含む：即時通信送信端は即時通信受信端の指紋情報を取得し、前記即時通信受信端の指紋情報より前記即時通信受信端に対し身分認証を行う；前記即時通信受信端の身分認証が成功した後、前記即時通信送信端が画像・音声データを生成して、且つ前記画像・音声データを暗号化させ、暗号化された画像・音声データを取得する；前記即時通信送信端は暗号化された画像・音声データを即時通信受信端に送信し、即時通信受信端が前記画像・音声データを受信且つ解読して、前記暗号化された画像・音声データを取得且つ表示する。前記システムは即時通信送信端を含む。本発明は画像・音声データ等即時情報の秘密性が良く保護され、安全性を向上させる。
2016502309.tif 000002
【特許請求の範囲】
【請求項１】
即時通信方法であって、
前記方法は：
即時通信送信端は即時通信受信端の指紋情報を取得し、前記即時通信受信端の指紋情報より前記即時通信受信端に対し身分認証を行う；
前記即時通信受信端の身分認証が成功した後、前記即時通信送信端が画像・音声データを生成して、且つ前記画像・音声データを暗号化させ、暗号化された画像・音声データを取得する；
前記即時通信送信端は暗号化された画像・音声データを即時通信受信端に送信し、即時通信受信端が前記暗号化された画像・音声データを受信且つ解読して、前記画像・音声データを取得且つ表示する
ことを特徴とする方法。
【請求項２】
前記即時通信送信端は即時通信受信端の指紋情報を取得する前に：
前記即時通信送信端は前記即時通信受信端に秘密鍵交換請求及び前記即時通信送信端の指紋情報を送信する；
前記即時通信送信端は前記即時通信受信端が送信された秘密鍵交換情報及び前記即時通信受信端の指紋情報を受信する；
ステップを更に含むことを特徴とする請求項１に記載された方法。
【請求項３】
前記即時通信送信端が画像・音声データを生成して、且つ前記画像・音声データを暗号化させ、暗号化された画像・音声データを取得するのは、下記のステップを含む：
前記即時通信送信端は画像・音声データ応用の指令を取得し、画像・音声データ応用をスタートして、画像・音声データを操作して、前記画像・音声データを生成する；
前記即時通信送信端は前記即時通信送信端の指紋情報より前記画像・音声データを暗号化させ、暗号化された画像・音声データを取得する；
ことを特徴とする請求項１に記載された方法。
【請求項４】
前記即時通信送信端は前記即時通信送信端の指紋情報より前記画像・音声データを暗号化させ、暗号化された画像・音声データを取得するのは、下記のステップを含む：
前記即時通信送信端は前記即時通信送信端の指紋情報より前記即時通信送信端が生成された全部の画像・音声データを暗号化させ、前記即時通信送信端の全部の暗号化された画像・音声データを取得する；又は
前記即時通信送信端は前記即時通信送信端の指紋情報より前記即時通信送信端が生成された部分の画像・音声データを暗号化させ、前記即時通信送信端の部分の暗号かされた画像・音声データを取得する
ことを特徴とする請求項３に記載された方法。
【請求項５】
即時通信受信端は前記暗号化された画像・音声データを受信且つ解読する前に、下記のステップを含む：
前記即時通信受信端は即時通信送信端の指紋情報を取得し、且つ即時通信送信端の指紋情報より前記即時通信送信端に対して身分認証を行う；
前記即時通信送信端に対する身分認証が成功した後、前記即時通信受信端は暗号化された画像・音声データを受信及び解読するステップを実施する
ことを特徴とする請求項１〜４のいずれか１項に記載された方法。
【請求項６】
即時通信システムであって、
前記システムは、即時通信送信端を含む；
前記即時通信送信端は下記の部分：
即時通信受信端の指紋情報の取得に使い、前記即時通信受信端の指紋情報より前記即時通信受信端に対して身分認証を行う送信端指紋センサー；
前記送信端指紋センサーと接続して、前記送信端指紋センサーが前記即時通信受信端の身分認証が成功してから、画像・音声データを生成する画像・音声データ生成器；
前記画像・音声データ生成器と接続して、前記画像・音声データ生成器が画像・音声データを生成してから、前記画像・音声データを暗号化させ、暗号化された画像・音声データを生成する送信端随時監視プロセッサ；
前記送信端随時監視プロセッサと接続して、前記送信端随時監視プロセッサが取得した暗号化された画像・音声データを前記即時通信受信端に送信して、前記即時通信受信端は暗号化された画像・音声データを受信及び解読して、前記画像・音声データを取得且つ表示する画像・音声データ送信器
を含むことを特徴とするシステム。
【請求項７】
送信端指紋センサーは前記即時通信送信端の対応するユーザーの指紋の採集に使われ、前記即時通信送信端の指紋情報を取得する；
それに応じて、前記即時通信送信端は更に下記の部分：
前記送信端指紋センサーと接続して、前記即時通信受信端に秘密鍵交換請求及び前記送信端指紋センサーが採集された前記即時通信送信端の指紋情報を送信する指紋情報送信器；
前記即時通信送信端のメモリー又はサーバーのメモリーと接続して、前記即時通信受信端が送信された秘密鍵交換確認情報及び前記即時通信受信端の指紋情報を受信して、且つ前記即時通信受信端の指紋情報を前記即時通信送信端のメモリー又はサーバーのメモリーに保存する指紋情報受信器
を含むことを特徴とする請求項６に記載されたシステム。
【請求項８】
前記画像・音声データ生成器は、具体的に画像・音声データ応用をスタートの指令を取得し、画像・音声データ応用をスタートして、画像・音声データを操作して、前記画像・音声データを生成する；
前記送信端随時監視プロセッサは、具体的に前記即時通信送信端の指紋情報より前記画像・音声データを暗号化させ、前記暗号かされた画像・音声データを取得する
ことを特徴とする請求項６に記載されたシステム。
【請求項９】
送信端随時監視プロセッサは下記の部分：
前記画像・音声データ生成器と接続して、前記即時通信送信端の指紋情報より前記即時通信送信端が生成された全部の画像・音声データを暗号化させ、前記即時通信送信端の全部の暗号かされた画像・音声データを取得する第一随時監視子プロセッサ；又は
前記画像・音声データ生成器と接続して、前記即時通信送信端の指紋情報より前記即時通信送信端が生成された部分の画像・音声データを暗号化させ、前記即時通信送信端の部分の暗号かされた画像・音声データを取得する第二随時監視子プロセッサ
を含むことを特徴とする請求項８に記載されたシステム。
【請求項１０】
前記システムは更に前記即時通信受信端を含む；
前記即時通信受信端は下記の部分：
前記画像・音声データ送信器と接続して、前記画像・音声データ送信器が送信された暗号化された画像・音声データを受信する画像・音声データ受信器；
前記画像・音声データ受信器と接続して、前記画像・音声データ受信器が前記画像・音声データ送信器が送信した暗号化された画像・音声データを受信してから、前記即時通信送信端の指紋情報を取得して、前記即時通信送信端の指紋情報より前記即時通信送信端に対して身分認証を行う受信端指紋センサー；
前記受信端指紋センサーと接続して、前記受信端指紋センサーが前記即時通信送信端に対する身分認証が成功した後、前記暗号化された画像・音声データを受信且つ解読して、前記画像・音声データを取得且つ表示する受信端随時監視プロセッサ
を含むことを特徴とする請求項６〜９のいずれか１項に記載されたシステム。
【発明の詳細な説明】
【発明の詳細な説明】
【０００１】
〔技術分野〕
本発明は、通信技術分野に関し、特に即時通信方法及びシステムに関わっている。
【０００２】
〔背景技術〕
通信技術の発展に伴って、即時通信ソフトウェアの功能益々強くなり、即時通信ソフトウェアより文字、図面、表情など即時メッセージでチャットできるし、更に即時通信ソフトウェアより画像・音声データ等即時メッセージでチャットできる。
【０００３】
現在、画像・音声データ等即時メッセージでチャットする際、画像・音声データ等即時メッセージを直接に相手に送信し、相手は画像・音声データを受信してから、画像・音声データ等を直接に表示する。
【０００４】
ところが、本発明を実現する過程中、発明人は先行技術には少なくとも以下の欠点がある：現在の方法は直接に画像・音声データ等即時メッセージを直接に相手に送信し、相手は画像・音声データを受信してから、画像・音声データ等を直接に表示するから、画像・音声データ等即時メッセージは如何なる第三者に獲得しやすいし、画像・音声データ等即時メッセージのプライバシーが保護されなく、安全性が低い。
【０００５】
〔発明の概要〕
先行技術の問題を解決するために、本発明は即時通信方法及びシステムを提供して、本発明の技術案とは、具体的に下記のように参照する。
【０００６】
一方では、本発明は即時通信方法を開示され、前記方法は下記の内容を含む：
即時通信送信端は即時通信受信端の指紋情報を取得し、前記即時通信受信端の指紋情報より前記即時通信受信端に対し身分認証を行う；
前記即時通信受信端の身分認証が成功した後、前記即時通信送信端が画像・音声データを生成して、且つ前記画像・音声データを暗号化させ、暗号化された画像・音声データを取得する；
前記即時通信送信端は暗号化された画像・音声データを即時通信受信端に送信し、即時通信受信端が前記暗号化された画像・音声データを受信且つ解読して、前記画像・音声データを取得且つ表示する。
【０００７】
もう一方では、本発明は即時通信方法及びシステムを開示され、前記システムは即時通信を含む；
前記即時通信送信端は下記の部分を含む：
送信端指紋センサー、即時通信受信端の指紋情報の取得に使い、前記即時通信受信端の指紋情報より前記即時通信受信端に対して身分認証を行う；
画像・音声データ生成器、前記送信端指紋センサーと接続して、前記送信端指紋センサーが前記即時通信受信端の身分認証が成功してから、画像・音声データを生成する；
送信端随時監視プロセッサ、前記画像・音声データ生成器と接続して、前記画像・音声データ生成器が画像・音声データを生成してから、前記画像・音声データを暗号化させ、暗号化された画像・音声データを生成する；
画像・音声データ送信器、前記送信端随時監視プロセッサと接続して、前記送信端随時監視プロセッサが取得した暗号化された画像・音声データを前記即時通信受信端に送信して、前記即時通信受信端は暗号化された画像・音声データを受信及び解読して、前記画像・音声データを取得且つ表示する。
【０００８】
本発明の実施例が提供された技術案は、下記の有益な効果を有する。
【０００９】
即時通信受信端の指紋情報の取得及び利用で、即時通信受信端に対し身分認証を行い、且つ画像・音声データを暗号化されたから即時通信受信端に送信するので、身分認証を受けた即時通信受信端のみ画像・音声データを取得できる。従いまして、画像・音声データ等即時メッセージは如何なる第三者に獲得しがたいし、画像・音声データ等即時メッセージのプライバシーがよく保護され、安全性を向上できる。
【００１０】
〔図面についての説明〕
本発明実施例の技術案をより一層明確に説明するために、以下実施例に記載された図面について簡単に紹介する。明らかに、下記された図面はただ本発明実施例の一部であり、同業者にとって、創造的な労働をせず、それらの図面から他の図面をもらえる。
【００１１】
図１は、本発明実施例一が提供した即時通信方法のフロー図である；
図２は、本発明実施例二が提供した即時通信方法のフロー図である；
図３は、本発明実施例三が提供した第一種目即時通信システムの構造図である；
図４は、本発明実施例三が提供した第二種目即時通信システムの構造図である；
図５は、本発明実施例三が提供した第三種目即時通信システムの構造図である。
【００１２】
〔具体的な実施形態〕
本発明の目的、技術案及び優れた点はより一層明確になるために、以下では、図面を参照して本発明の好ましい実施形態について詳しく記述する。
【００１３】
〔実施例一〕
本発明の実施例は即時通信方法を開示され、図１に示すように、当該方法は下記の内容を含む：
１０１：即時通信送信端は即時通信受信端の指紋情報を取得し、即時通信受信端の指紋情報より即時通信受信端に対し身分認証を行う；
１０２：即時通信受信端の身分認証が成功した後、即時通信送信端が画像・音声データを生成して、且つ画像・音声データを暗号化させ、暗号化された画像・音声データを取得する；
１０３：即時通信送信端は暗号化された画像・音声データを即時通信受信端に送信し、即時通信受信端が前記暗号化された画像・音声データを受信且つ解読して、画像・音声データを取得且つ表示する。
【００１４】
さらに、即時通信送信端は即時通信受信端の指紋情報を取得する前に下記のステップを含む：
即時通信送信端は即時通信受信端に秘密鍵交換請求及び即時通信送信端の指紋情報を送信する；
即時通信送信端は前記即時通信受信が送信された秘密鍵交換情報及び即時通信受信端の指紋情報を受信する；
さらに、即時通信送信端が画像・音声データを生成して、且つ画像・音声データを暗号化させ、暗号化された画像・音声データを取得するのは、下記のステップを含む：
即時通信送信端は画像・音声データ応用の指令を取得し、画像・音声データ応用をスタートして、画像・音声データを操作して、前記画像・音声データを生成する；
即時通信送信端は即時通信送信端の指紋情報より画像・音声データを暗号化させ、暗号化された画像・音声データを取得する；
さらに、即時通信送信端は即時通信送信端の指紋情報より画像・音声データを暗号化させ、暗号化された画像・音声データを取得するのは、下記のステップを含む：
即時通信送信端は即時通信送信端の指紋情報より即時通信送信端が生成された全部の画像・音声データを暗号化させ、即時通信送信端の全部の暗号かされた画像・音声データを取得する；又は
即時通信送信端は即時通信送信端の指紋情報より即時通信送信端が生成された部分の画像・音声データを暗号化させ、即時通信送信端の部分の暗号かされた画像・音声データを取得する。
【００１５】
さらに、即時通信受信端は暗号化された画像・音声データを受信且つ解読する前に、下記のステップを含む：
即時通信受信端は即時通信送信端の指紋情報を取得し、且つ即時通信送信端の指紋情報より即時通信送信端に対して身分認証を行う；
即時通信送信端に対する身分認証が成功した後、即時通信受信端は暗号化された画像・音声データを受信及び解読するステップを実施する。
【００１６】
本発明の実施例が記述された即時通信方法は、即時通信受信端の指紋情報の取得及び利用で、即時通信受信端に対し身分認証を行い、且つ画像・音声データを暗号化されたから即時通信受信端に送信するので、身分認証を受けた即時通信受信端のみ画像・音声データを取得できる。従いまして、画像・音声データ等即時メッセージは如何なる第三者に獲得しがたいし、且つ獲得した画像・音声データが暗号化されたから、画像・音声データ等即時メッセージのプライバシーがよく保護され、安全性を向上できる。
【００１７】
説明する必要なのは、本発明の実施例に記述された即時通信方法は、マイクロブロッグ、ＱＱ、ＭＳＮ、ｓｋｙｐｅ、マイクロメッセージなど各種即時通信ソフトウェアに応用できる、そして、一対一のチャットにも、複数人のチャットにも応用できる。複数人がチャットする際、即時通信送信端秘密鍵がないユーザーは即時通信送信端が送信された暗号化されてない部分の画像・音声データを見える、暗号化された部分の画像・音声データを見えない。
【００１８】
〔実施例二〕
本発明の実施例は即時通信方法を開示され、図２に示すように、当該方法は下記の内容を含む：
２０１：即時通信送信端は即時通信受信端に秘密鍵交換請求及び即時通信送信端の指紋情報を送信する。
【００１９】
具体的には、即時通信送信端は即時通信受信端と暗号化された画像・音声データを送信する時、即時通信受信端に秘密鍵交換請求及び即時通信送信端の指紋情報を送信できる。
【００２０】
具体的には、本発明の実施例の指紋情報は秘密鍵である。
【００２１】
具体的には、即時通信送信端に送信端指紋センサーが設置られ、送信端指紋センサーより即時通信送信端と対応するユーザーの指紋情報を採集し、即時通信送信端の指紋情報を取得する。且つ即時通信送信端の指紋情報を即時通信送信端のメモリー又はサーバーのメモリーに保存される。
【００２２】
２０２：即時通信受信端は秘密鍵交換請求及び即時通信送信端の指紋情報を受信し、即時通信送信端と秘密鍵を交換するか否かについて確認して、交換を確認する場合、２０３を実施する；でなければ、２１０を実施する。
【００２３】
具体的には、即時通信受信端は即時通信送信端の指紋情報を即時通信受信端のメモリー又はサーバーのメモリーに保存して、即時通信受信端に対する認証を行う必要となる場合、メモリーから関連情報を読み込み、認証を行う。
【００２４】
２０３：即時通信受信端は即時通信送信端に秘密鍵交換確認情報及び即時通信受信端の指紋情報を送信する。
【００２５】
具体的には、即時通信受信端に送信端指紋センサーが設置られ、送信端指紋センサーより即時通信受信端ユーザーの指紋情報を採集する。且つ、指紋情報を即時通信受信端のメモリー又はサーバーのメモリーに保存される。
【００２６】
２０４：即時通信送信端は即時通信送信端が送信された秘密鍵交換確認情報及び即時通信受信端の指紋情報を受信する。
【００２７】
具体的には、即時通信送信端は即時通信受信端の指紋情報を即時通信送信端のメモリー又はサーバーのメモリーに保存して、即時通信受信端に対する認証を行う必要となる場合、メモリーから関連情報を読み込み、認証を行う。
【００２８】
２０５：即時通信受信端は即時通信送信端に画像・音声通信の請求メッセージを送信する。即時通信送信端は即時通信受信端の指紋情報を取得、即時通信受信端の指紋情報より即時通信受信端に対して身分認証を行う。
【００２９】
具体的には、即時通信送信端は指紋情報を保存された場所をチェックして、当該即時通信受信端と対応する指紋情報があるか否かを判断し、肯定の場合、即時通信受信端の身分が合法的であることを証明して、即時通信受信端の身分認証が成功する。
【００３０】
２０６：即時通信送信端は即時通信受信端に対する身分認証が成功するか否か判断して、成功する場合、２０７を実施する；でなければ、終了する。
【００３１】
２０７：即時通信送信端は画像・音声データを生成し、且つ画像・音声データを暗号化させ、暗号化された画像・音声データを取得する。
【００３２】
その中に、画像・音声データは録音又は映像など情報を含む。
【００３３】
具体的には、画像・音声データを暗号化させる場合、全部の画像・音声データを暗号化させることもできるし、ユーザーが選択された部分の画像・音声データを暗号化させることもできる。実際の状況より暗号化させる必要なデータを選択できるので、それに対して具体的に限定しない。
【００３４】
具体的には、即時通信送信端は画像・音声データを生成し、且つ画像・音声データを暗号化させ、暗号化された画像・音声データを取得して、下記のステップを含む：
即時通信送信端は画像・音声データ応用の指令を取得し、画像・音声データ応用をスタートして、画像・音声データを操作して、画像・音声データを生成する；
即時通信送信端は即時通信送信端の指紋情報より画像・音声データを暗号化させ、暗号化された画像・音声データを取得する；
その中に、即時通信送信端は即時通信送信端の指紋情報より画像・音声データを暗号化させ、暗号化された画像・音声データを取得するのは、下記のステップを含む：
通信送信端は即時通信送信端の指紋情報より前記即時通信送信端が生成された全部の画像・音声データを暗号化させ、即時通信送信端の全部の暗号かされた画像・音声データを取得する；又は
即時通信送信端は即時通信送信端の指紋情報より即時通信送信端が生成された部分の画像・音声データを暗号化させ、即時通信送信端の部分の暗号かされた画像・音声データを取得する。
【００３５】
２０８：通信送信端は暗号かされた画像・音声データを即時通信受信端に送信する。
【００３６】
２０９：即時通信受信端は暗号化された画像・音声データを受信且つ解読するして、画像・音声データを取得且つ表示してから、終了する。
【００３７】
具体的には、即時通信受信端は暗号化された画像・音声データを受信且つ解読する前に、更に下記のステップを含む：
即時通信受信端は即時通信送信端の指紋情報を取得し、且つ即時通信送信端の指紋情報より即時通信送信端に対して身分認証を行う；
即時通信送信端に対する身分認証が成功した後、即時通信受信端は暗号化された画像・音声データを受信及び解読するステップを実施する。
【００３８】
２１０：即時通信受信端は即時通信送信端に秘密鍵交換せずの確認情報を送信してから、終了する。
【００３９】
本発明の実施例が記述された即時通信方法は、即時通信受信端の指紋情報の取得及び利用で、即時通信受信端に対し身分認証を行い、且つ画像・音声データを暗号化されたから即時通信受信端に送信するので、身分認証を受けた即時通信受信端のみ画像・音声データを取得できる。従いまして、画像・音声データ等即時メッセージは如何なる第三者に獲得しがたいし、且つ獲得した画像・音声データが暗号化されたから、画像・音声データ等即時メッセージのプライバシーがよく保護され、安全性を向上できる。
【００４０】
〔実施例三〕
本発明の実施例は即時通信システムを開示され、図３に示すように、当該システムは下記の部分を含む：
即時通信送信端３０；
即時通信送信端３０は下記の部分を含む：
送信端指紋センサー３０１、即時通信受信端４０の指紋情報の取得に使い、即時通信受信端４０の指紋情報より即時通信受信端４０に対して身分認証を行う；
画像・音声データ生成器３０２、送信端指紋センサー３０１と接続して、送信端指紋センサー３０１が即時通信受信端４０の身分認証が成功してから、画像・音声データを生成する；
送信端随時監視プロセッサ３０３、画像・音声データ生成器３０２と接続して、画像・音声データ生成器３０２が画像・音声データを生成してから、画像・音声データを暗号化させ、暗号化された画像・音声データを生成する；
画像・音声データ送信器３０４、送信端随時監視プロセッサ３０３と接続して、送信端随時監視プロセッサ３０３が取得した暗号化された画像・音声データを即時通信受信端４０に送信して、即時通信受信端４０は暗号化された画像・音声データを受信及び解読して、画像・音声データを取得且つ表示する。
【００４１】
さらに、送信端指紋センサー３０１は即時通信送信端３０の対応するユーザーの指紋の採集に使われ、即時通信送信端３０の指紋情報を取得する；
それに応じて、図４に示すように、即時通信送信端３０は更に下記の部分を含む：
指紋情報送信器３０５、送信端指紋センサー３０１と接続して、即時通信受信端４０に秘密鍵交換請求及び送信端指紋センサー３０１が採集された即時通信送信端３０の指紋情報を送信する；
指紋情報受信器３０６、即時通信送信端３０のメモリー又はサーバーのメモリーと接続して、即時通信受信端４０が送信された秘密鍵交換確認情報及び即時通信受信端４０の指紋情報を受信して、且つ即時通信受信端４０の指紋情報を即時通信送信端３０のメモリー又はサーバーのメモリーに保存する。
【００４２】
その中に、サーバーは即時通信送信端３０、即時通信受信端４０等の間の通信にサービスを提供する一台又は数台のパソコンなどである；
さらに、画像・音声データ生成器３０２、具体的に画像・音声応用の指令を取得に使われ、画像・音声応用をスタートして、画像・音声を操作して、前記画像・音声を生成する；
送信端随時監視プロセッサ３０３、具体的に即時通信送信端３０の指紋情報より画像・音声データを暗号化させ、暗号かされた画像・音声データを取得する。
【００４３】
さらに、送信端随時監視プロセッサ３０３は下記の部分を含む：
第一随時監視子プロセッサ、画像・音声データ生成器３０２と接続して、即時通信送信端３０の指紋情報より即時通信送信端３０が生成された全部の画像・音声データを暗号化させ、即時通信送信端３０の全部の暗号かされた画像・音声データを取得する；又は
第二随時監視子プロセッサ、画像・音声データ生成器３０２と接続して、即時通信送信端３０の指紋情報より即時通信送信端３０が生成された部分の画像・音声データを暗号化させ、即時通信送信端３０の部分の暗号かされた画像・音声データを取得する。
【００４４】
また、図５に示すように、当該システムは更に即時通信受信端４０を含む；
即時通信受信端４０は下記の部分を含む：
画像・音声データ受信器４０１、画像・音声データ送信器３０４と接続して、画像・音声データ送信器３０４が送信された暗号化された画像・音声データを受信する；
受信端指紋センサー４０２、画像・音声データ受信器４０１と接続して、画像・音声データ受信器４０１が画像・音声データ送信器３０４が送信した暗号化された画像・音声データを受信してから、即時通信送信端３０の指紋情報を取得して、即時通信送信端の指紋情報３０より即時通信送信端に対して身分認証を行う；
受信端随時監視プロセッサ４０３、受信端指紋センサー４０２と接続して、受信端指紋センサー４０２が即時通信送信端３０に対する身分認証が成功した後、暗号化された画像・音声データを受信且つ解読して、画像・音声データを取得且つ表示する。
【００４５】
説明する必要なのは、本発明の実施例に記述された各設備の間に接続する際に、有線方式、無線方式又は他の方式で接続られ、それに対して具体的に限定せず、実際的な応用状況より設置できる。
【００４６】
本発明の実施例が記述された即時通信方法は、即時通信受信端の指紋情報の取得及び利用で、即時通信受信端に対し身分認証を行い、且つ画像・音声データを暗号化されたから即時通信受信端に送信するので、身分認証を受けた即時通信受信端のみ画像・音声データを取得できる。従いまして、画像・音声データ等即時メッセージは如何なる第三者に獲得しがたいし、且つ獲得した画像・音声データが暗号化されたから、画像・音声データ等即時メッセージのプライバシーがよく保護され、安全性を向上できる。
【００４７】
説明する必要なのは、上記された実施例に提供された即時通信システムは、上記された各機能モジュールの区分を例として説明するだけで、実際的に応用する際に、必要に応じて上記された機能を違うモジュールで完成られ、即ちシステムの内部構造を違う機能モジュールに分けられ、上記された全部又は部分の機能を完成する。そして、上記された上記された実施例に提供された即時通信システムと即時通信方法が実際に同一構想に所属され、具体的な実施過程は方法実施例を参照して、ここで贅言を要しない。
【００４８】
上記された本発明の実施例の番号は記述するためだけ、実施例の優劣を代表しない。
【００４９】
上記された実施例の全部又は部分のステップはハードウェアより、或いはプログラムより関連ハードウェアを指令することで完成できる。前記プログラムはコンピューターの可読記憶媒体の中に保存できる。前記記憶媒体はROM、磁気ディスク或いは光ディスク等である。同業者としてそれを理解できる。
【００５０】
上記されたのは本発明のよりいい実施例であるが、本発明を限定されない。本発明の主旨及び原則の中に、如何なる訂正、同等取替え、改善等、全部本発明の保護範囲に含まれる。
【図面の簡単な説明】
【００５１】
【図１】本発明実施例一が提供した即時通信方法のフロー図である。
【図２】本発明実施例二が提供した即時通信方法のフロー図である。
【図３】本発明実施例三が提供した第一種目即時通信システムの構造図である。
【図４】本発明実施例三が提供した第二種目即時通信システムの構造図である。
【図５】本発明実施例三が提供した第三種目即時通信システムの構造図である。
【図１】
2016502309.tif 000003
【図２】
2016502309.tif 000004
【図３】
2016502309.tif 000005
【図４】
2016502309.tif 000006
【図５】
2016502309.tif 000007
【国際調査報告】
2016502309.tif 000008
2016502309.tif 000009
2016502309.tif 000010
2016502309.tif 000011